(57)【要約】【課題】排水用配管等、分析部に外部配管を接続するための分析部接続用配管に、延長用配管を接続する際の配管の延長方向の自由度が高い水質分析計を提供する。【解決手段】本発明の水質分析計１は、水質を分析する分析部１０と、分析部１０が取り付けられた支持用ベース３０と、１０分析部に外部配管を接続するための分析部接続用配管４０，５０，６０とを具備し、分析部接続用配管４０，５０，６０は、分析部１０の下側で、下端４０ａ，５０ａ，６０ａが支持用ベース３０の下端３０ａより下に位置するように略鉛直方向に沿って支持用ベース３０に取り付けられている。【選択図】図１
2009115557.tif 000002
【特許請求の範囲】
【請求項１】
水質を分析する分析部と、前記分析部が取り付けられた支持用ベースと、前記分析部に外部配管を接続するための分析部接続用配管とを具備し、
該分析部接続用配管は、前記分析部の下側で、下端が支持用ベースの下端より下に位置するように略鉛直方向に沿って前記支持用ベースに取り付けられていることを特徴とする水質分析計。
【発明の詳細な説明】
【技術分野】
【０００１】
本発明は、水の性状を分析するための水質分析計に関する。
【背景技術】
【０００２】
水の性状を分析する際には水質分析計が用いられる。水質分析計としては、例えば、水質を分析する分析部と、分析部が取り付けられた支持用ベースと、前記分析部に接続された排水用配管とを具備するものが知られている。支持用ベースとしては、分析部を支持する長尺の板からなる支持部と、該支持部を両側から挟む長尺の板からなる一対の側面部とを有し、水平方向の断面がＨ型になっている架台を用いることがある（非特許文献１，２）。このＨ型の架台は、支持部の幅方向の各端部が各側面部の略中央に当接した形状で、支持部と両側面部とが一体化したものである。
このような支持用ベースを具備する水質分析計では、通常、排水用配管が支持用ベースに固定され、さらに水質分析計の後方に向かって延びて突き出ている。
また、開閉扉付きのボックス内に分析部を収納した水質分析計も知られている。この水質分析計では、通常、ボックスの側面から排水用配管が突き出ている。
【非特許文献１】電気化学計器株式会社、ＳＰＥＣ  ＢＯＯＫ、第９版、平成８年３月３１日発行、ｐ．３３１〜３３５，６０３〜６０５
【非特許文献２】環境計測器ガイドブック第６版広告編、平成１８年７月１日発行、ｐ．３８〜３９
【発明の開示】
【発明が解決しようとする課題】
【０００３】
通常、排水用配管には、排水設備の位置に対応して延長用配管が接続される。ところが、従来の水質分析計では、排水用配管が一方向に向いているため、延長方向の自由度が低かった。そのため、例えば、排水用配管とは異なる方向に配管を延長する場合には、支持用ベースやボックスに沿うように延長用配管を引き回す必要があった。したがって、配管および配管接続用部品の使用数が多くなる上に、支持用ベース等の周囲に延長用配管が配置されるため、分析部を補修する際の作業性が低下することがあった。このようなことから、排水用配管に延長用配管を接続する際の配管の延長方向の自由度が高い水質分析計が求められていた。
本発明は、前記事情を鑑みてなされたものであり、排水用配管等、分析部に外部配管を接続するための分析部接続用配管に、延長用配管を接続する際の配管の延長方向の自由度が高い水質分析計を提供することを目的とする。
【課題を解決するための手段】
【０００４】
本発明の水質分析計は、水質を分析する分析部と、前記分析部が取り付けられた支持用ベースと、前記分析部に外部配管を接続するための分析部接続用配管とを具備し、該分析部接続用配管は、前記分析部の下側で、下端が支持用ベースの下端より下に位置するように略鉛直方向に沿って前記支持用ベースに取り付けられていることを特徴とする。
【発明の効果】
【０００５】
本発明の水質分析計では、分析部接続用配管に延長用配管を接続する際の配管の延長方向の自由度が高い。
【発明を実施するための最良の形態】
【０００６】
本発明の水質分析計の一実施形態について説明する。
図１に、本実施形態の水質分析計を示す。この水質分析計１は、分析部１０と操作部２０と支持用ベース３０と排水用配管４０と洗浄水用配管５０と試料水用配管６０とを具備する。本実施形態における排水用配管４０、洗浄水用配管５０および試料水用配管６０はいずれも分析部接続用配管である。
【０００７】
（分析部）
分析部１０は、水質を分析する部分で、測定項目に応じた各種検出器や配管等で構成されている。本実施形態では、分析部１０はハウジング１１内に収納されている。
本実施形態におけるハウジング１１は、直方体状で、前面が開閉可能な開閉扉１１ａになっているものである。このようなハウジング１１では、開閉扉１１ａを閉じること（図１に示す状態）により分析部１０が外部から見えないように隠され、開くことにより分析部１０のメンテナンスが容易に行える。
【０００８】
（操作部）
操作部２０は、分析部１０を制御し、かつ、分析部１０からの信号を変換・演算・出力等するものである。本実施形態における操作部２０は、表示部２１および操作パネル２２を前面に備え、入力された操作を実行するように分析部１０に指示信号を送ると共に、分析部１０から送られた信号の変換および演算を行い、分析結果を表示するようになっている。さらに、分析結果や警報信号を外部に出力するようになっている。
【０００９】
（支持用ベース）
支持用ベース３０は、分析部１０および操作部２０が取り付けられて架台の役割を果たすものである。また、支持用ベース３０は、例えば、壁、パネル等に取り付けられる。
本実施形態例における支持用ベース３０は、図２に示すように、鉛直方向に沿って配置された２本のフレーム３１ａ，３１ｂと、２本のフレーム３１ａ，３１ｂの上部に取り付けられた上部支持部３２と、２本のフレーム３１ａ，３１ｂの下部に取り付けられた下部支持部３３とを有している。
上部支持部３２には、上述した操作部２０が取り付けられ、下部支持部３３には、後述する把持部材４１が取り付けられる。
また、支持用ベース３０の２本のフレーム３１ａ，３１ｂには、分析部１０のハウジング１１が、ハウジング１１の長手方向が鉛直方向に沿うように取り付けられる。
このように、フレーム３１ａ，３１ｂに分析部１０のハウジング１１、上部支持部３２と下部支持部３３が各々取り付けられるため、フレーム３１ａ，３１ｂは、互いに平行に配置された状態で固定される。
また、本実施形態における支持用ベース３０では、フレーム３１ａ，３１ｂ、上部支持部３２および下部支持部３３に囲まれた部分に中抜け部３４が形成される。この中抜け部３４には、分析部１０に接続された電気ケーブル等を通すことができる。
【００１０】
（排水用配管）
排水用配管４０は、分析部１０の下側で略鉛直方向に沿うように支持用ベース３０に取り付けられている。本実施形態では、排水用配管４０は、下部支持部３３に取り付けられた２つの把持部材４１，４１によって、略鉛直方向に沿うように把持されている。把持部材４１によって把持された排水用配管４０は、その下端４０ａが支持用ベース３０の下端３０ａより下に位置している。
本実施形態における排水用配管４０には、分析部１０の排水口（図示せず）に接続されたフレキシブルチューブ４２，４２・・・が差し込まれている。これにより、分析部１０に接続されて、分析部１０にて生じた排水を排水用配管４０に流せるようになっている。  また、排水用配管４０は、外部配管と接続されるようになっている。
【００１１】
（洗浄水用配管、試料水用配管）
洗浄水用配管５０は、分析部１０に洗浄水を外部配管から供給するために接続された配管であり、試料水用配管６０は、分析部１０に試料水を外部配管から供給するために接続された配管である。
本実施形態では、洗浄水用配管５０および試料水用配管６０は、分析部１０の下側で略鉛直方向に沿って支持用ベース３０に取り付けられている。また、洗浄水用配管５０の下端５０ａおよび試料水用配管６０の下端６０ａは支持用ベース３０の下端３０ａより下に位置している。
【００１２】
（水質の分析）
上記水質分析計１を用いた水質の分析では、測定プログラムが入力された操作部２０より分析部１０に指示信号を送り、試料水用配管６０を介して分析部１０に試料水を供給して試料水を分析し、得られた分析結果を操作部２０に送って表示部２１に表示すると共に、外部に出力する。
分析後、分析に使用した試料水は、フレキシブルチューブ４２を介して排水用配管４０に流して排出する。また、必要に応じて、分析後に、洗浄水用配管５０を介して分析部１０に洗浄水を供給して、分析部１０を洗浄してもよい。洗浄に使用した排水もフレキシブルチューブ４２を介して排水用配管４０に流して排出する。
【００１３】
（用途）
水質分析計１は、例えば、残留塩素、アルカリ度、濁度等の水質の性状の分析に適用することができる。
【００１４】
（作用効果）
以上説明した水質分析計１では、排水用配管４０の下端が支持用ベース３０の下端より下に位置しているため、例えば、図３に示すように、排水用配管４０の下端に、９０°に屈曲したエルボ管７０を取り付けた場合には、エルボ管７０の先にハウジング１１や支持用ベース３０等の障害物が存在しなくなる。そのため、エルボ管７０の水平方向に沿う部分７１を任意の方向に向けて、延長用配管８０を接続することができる。したがって、水質分析計１によれば、排水用配管４０に延長用配管８０を接続する場合の配管の延長方向の自由度が高い。よって、支持用ベース３０に沿って引き回さずに、水質分析計１を設置する現場の状況に応じて任意の方向に延長用配管８０を延長することができるため、配管および配管接続用部品の使用数を少なくできる。
また、本実施形態では、排水用配管４０と同様に、洗浄水用配管５０の下端５０ａおよび試料水用配管６０の下端６０ａも支持用ベース３０の下端３０ａより下に位置しているため、洗浄水用配管５０および試料水用配管６０を延長する場合も延長方向の自由度が高い。
【００１５】
（その他の実施形態）
なお、本発明の水質分析計は上記実施形態に限定されない。例えば、本発明の水質分析計は、洗浄水用配管５０を有していなくても構わないし、分析部１０に測定用試薬を供給するための試薬用配管をさらに有していてもよい。
また、分析部１０のハウジング１１は直方体状でなくてもよく、例えば、立方体状、円筒状等であってもよい。また、分析部１０がハウジング１１に収納されていなくてもよい。
また、操作部２０は、分析部１０と一体になっていてもよいし、支持用ベース３０に取り付けられていなくてもよい。操作部２０が支持用ベース３０に取り付けられない場合には、操作部２０は、分析部１０および支持用ベース３０から離れた場所に設置される。その場合、分析部１０と操作部２０とは有線で通信してもよいし、無線で通信してもよい。
また、支持用ベース３０は、上記実施形態のようなフレーム３１ａ，３１ｂと上部支持部３２と下部支持部３３とを有するものに限定されず、例えば、板状のものであってもよい。
また、洗浄水用配管５０の下端５０ａおよび試料水用配管６０の下端６０ａは支持用ベース３０の下端３０ａより下に位置していなくてもよい。
【００１６】
本発明では、排水用配管４０、洗浄水用配管５０、試料水用配管６０、試薬用配管等の分析部接続用配管のうち、いずれか１つ以上が、分析部１０の下側で、略鉛直方向に沿って支持用ベース３０に取り付けられ、かつ、その下端が支持用ベースの下端より下に位置していればよいが、実用性の点からは、少なくとも排水用配管４０が、分析部１０の下側で、略鉛直方向に沿って前記支持用ベースに取り付けられ、かつ、その下端が支持用ベースの下端より下に位置していることが好ましい。
【図面の簡単な説明】
【００１７】
【図１】本発明の水質分析計の一実施形態を示す正面図である。
【図２】図１に示す水質分析計を構成する支持用ベースを示す正面図である。
【図３】図１に示す水質分析計を構成する排水用配管の下端にエルボ管を取り付けた態様を示す図である。
【符号の説明】
【００１８】
１  水質分析計
１０  分析部
１１  ハウジング
２０  操作部
３０  支持用ベース
３０ａ  下端
３１ａ，３１ｂ  フレーム
３２  上部支持部
３３  下部支持部
４０  排水用配管（分析部接続用配管）
４０ａ  下端
４１  把持部材
４２  フレキシブルチューブ
５０  洗浄水用配管（分析部接続用配管）
５０ａ  下端
６０  試料水用配管（分析部接続用配管）
６０ａ  下端
【図１】
2009115557.tif 000003
【図２】
2009115557.tif 000004
【図３】
2009115557.tif 000005